(57)【要約】【課題】車椅子仕様号機が運転休止している場合でも、車椅子利用者がエレベーターを容易に利用できるようにすることを目的とする。【解決手段】エレベーター装置１００は一般用エレベーター２１０と車椅子用エレベーター２２０とを有する。車椅子用エレベーター２２０は戸開時間を延長したり、戸閉速度を遅くするなど車椅子利用者による使用を支援する車椅子運転を行うエレベーターである。エレベーター群管理盤４１０は各エレベーターの運転モードを確認し、車椅子用エレベーター２２０が運転を休止している場合、一般用エレベーター制御盤４２０に車椅子運転を命令する。一般用エレベーター制御盤４２０はエレベーター群管理盤４１０からの命令を受けて、車椅子用エレベーター２２０の代わりに車椅子運転を行う。【選択図】図１
2010023934.tif 000002
【特許請求の範囲】
【請求項１】
通常運転と乗客の利用を補助する所定の動作を含む補助運転とのいずれかの運転を行う第１のエレベーターと前記補助運転を行う第２のエレベーターとを制御するエレベーター運転装置であり、
前記第２のエレベーターから運転休止中か否かを示す情報である運転モードを取得する運転モード取得部と、
前記運転モード取得部により取得された前記第２のエレベーターの運転モードが運転休止中を示す場合、前記第１のエレベーターの運転を通常運転から前記補助運転に切り替える運転制御部と
を備えたことを特徴とするエレベーター運転装置。
【請求項２】
前記第１のエレベーターと前記第２のエレベーターとはそれぞれ、エレベーター乗場に設置されると共にエレベーターかごが呼ばれるときに押下される乗場釦を有し、
前記運転制御部は、前記第２のエレベーターの乗場釦が押下されると共に前記第２のエレベーターの運転モードが運転休止中を示す場合、前記第１のエレベーターの運転を前記補助運転に切り替える
ことを特徴とする請求項１記載のエレベーター運転装置。
【請求項３】
前記第１のエレベーターと前記第２のエレベーターとはそれぞれ、エレベーター乗場に設置されると共にエレベーターかごが呼ばれるときに押下される乗場釦を有し、
前記エレベーター運転装置は、さらに、押下された乗場釦の情報を押下情報として入力し、入力した押下情報が所定の情報を示すか判定する押下情報判定部を備え、
前記運転制御部は、前記押下情報判定部により前記押下情報が所定の情報を示すと判定されると共に前記第２のエレベーターの運転モードが運転休止中を示す場合、前記第１のエレベーターの運転を前記補助運転に切り替える
ことを特徴とする請求項１記載のエレベーター運転装置。
【請求項４】
前記押下情報判定部は、前記第１のエレベーターと前記第２のエレベーターとが備わる建物に居住する居住者の居室が設けられた居住階のエレベーター乗場に設置された乗場釦が押下されると共に、押下された乗場釦が前記建物の出入口が設けられたロビー階の方向を示すと共に、乗場釦の押下された時間が所定の時間未満であることを前記所定の情報として、前記押下情報が前記所定の情報を示すか判定し、
前記運転制御部は、前記押下情報判定部により前記押下情報が所定の情報を示すと判定されると共に前記第２のエレベーターの運転モードが運転休止中を示す場合、前記第１のエレベーターを乗場釦が押下された居住階に走行させると共に、前記居住階に走行させた前記第１のエレベーターを前記補助運転で前記ロビー階に走行させる
ことを特徴とする請求項３記載のエレベーター運転装置。
【請求項５】
前記押下情報判定部により前記押下情報が所定の情報を示さないと判定された場合、係員を呼び出す所定の呼出機を動作させる係員呼出部
を備えたことを特徴とする請求項３〜請求項４いずれかに記載のエレベーター運転装置。
【請求項６】
前記運転モード取得部は、前記第２のエレベーターの運転モードを取得すると共に前記第１のエレベーターの運転モードを取得し、
前記エレベーター運転装置は、前記運転モード取得部により取得された前記第１のエレベーターの運転モードが運転休止中を示すと共に前記運転モード取得部により取得された前記第２のエレベーターの運転モードが運転休止中を示す場合、係員を呼び出す所定の呼出機を動作させる休止時呼出部を備える
ことを特徴とする請求項１〜請求項５いずれかに記載のエレベーター運転装置。
【請求項７】
請求項１〜請求項６いずれかに記載のエレベーター運転装置を備えたエレベーター装置。
【発明の詳細な説明】
【技術分野】
【０００１】
本発明は、例えば、車椅子仕様のエレベーターを制御するエレベーター運転装置およびエレベーター装置に関するものである。
【背景技術】
【０００２】
従来、車椅子利用者のために車椅子仕様のエレベーター号機が設けられていても、車椅子仕様号機が故障やメンテナンスにより運転休止している場合、車椅子利用者は他の一般号機を利用している。
一般号機では、車椅子利用者にとって重要な戸開閉速度の減速、戸開時間の延長などの付加機能を有する車椅子運転が適用されていない。また、一般号機のエレベーターかご内には一般利用者向けの操作盤のみ設置され、車椅子利用者向けの操作盤は設置されていない。このため、車椅子利用者が行先釦を押下して行先階を指定することは困難である。
【特許文献１】特開平６−２９８４６４号公報
【発明の開示】
【発明が解決しようとする課題】
【０００３】
本発明は、例えば、車椅子仕様号機が運転休止している場合でも、車椅子利用者がエレベーターを容易に利用できるようにすることを目的とする。
【課題を解決するための手段】
【０００４】
本発明のエレベーター運転装置は、通常運転と乗客の利用を補助する所定の動作を含む補助運転とのいずれかの運転を行う第１のエレベーターと前記補助運転を行う第２のエレベーターとを制御するエレベーター運転装置であり、前記第２のエレベーターから運転休止中か否かを示す情報である運転モードを取得する運転モード取得部と、前記運転モード取得部により取得された前記第２のエレベーターの運転モードが運転休止中を示す場合、前記第１のエレベーターの運転を通常運転から前記補助運転に切り替える運転制御部とを備えたことを特徴とする。
【発明の効果】
【０００５】
本発明によれば、例えば、車椅子仕様号機（第２のエレベーター）が運転休止している場合でも、一般号機（第１のエレベーター）が車椅子運転（補助運転の一例）することにより、車椅子利用者にエレベーターを容易に利用させることができる。
【発明を実施するための最良の形態】
【０００６】
実施の形態１．
図１は、実施の形態１におけるエレベーター装置１００の構成図である。
実施の形態１におけるエレベーター装置１００の構成について、図１に基づいて以下に説明する。
【０００７】
エレベーター装置１００は、エレベーター乗場２００、エレベーターかご３００、エレベーター機械室４００および監視室５００を有する。
また、エレベーター装置１００は、一般利用者向けのエレベーター（第１のエレベーターの一例）と車椅子利用者向けのエレベーター（第２のエレベーターの一例）とを有する。
以下、一般利用者向けのエレベーターを「一般用エレベーター２１０」または「１号機」といい、車椅子利用者向けのエレベーターを「車椅子用エレベーター２２０」または「２号機」という。
また、一般用エレベーター２１０のエレベーターかご３００を「一般用かご３１０」といい、車椅子用エレベーター２２０のエレベーターかご３００を「車椅子用かご３２０」という。
【０００８】
一般用エレベーター２１０と車椅子用エレベーター２２０とが共に稼働している場合（運転休止していない場合）、一般用エレベーター２１０は一般利用者向けの運転（通常運転の一例）を行い、車椅子用エレベーター２２０は車椅子利用者向けの運転（補助運転の一例）を行う。
以下、一般利用者向けの運転を「通常運転」といい、車椅子利用者向けの運転を「車椅子運転」という。また、メンテナンス作業として保守員により手動で行われるエレベーターの運転を「保守運転」という。
【０００９】
建物（例えば、マンション）の出入口があるロビー階（１Ｆ）（玄関階ともいう）のエレベーター乗場２００および建物に居住する居住者の居室が設けられた居住階（中間階［２Ｆ〜７Ｆ］、最上階［８Ｆ］）のエレベーター乗場２００には、一般用エレベーター２１０と車椅子用エレベーター２２０とのそれぞれの出入口の近くに、利用者がエレベーター乗場２００にエレベーターかご３００を呼ぶために押下する呼び釦を備える操作盤が設置されている。
また、セキュリティ性を考慮し、ロビー階の操作盤には利用者の認証に用いられるカードリーダが備わる。利用者は、自己の識別情報（以下、「利用者ＩＤ」という）が記録されているＩＤカード（非接触ＩＣカード）をカードリーダに読み取らせて認証を受けなければ、エレベーターを利用することができない。
以下、一般用エレベーター２１０の近くに設置されている操作盤を「一般用乗場操作盤２１１」といい、車椅子用エレベーター２２０の近くに設置されている操作盤を「車椅子用乗場操作盤２２１」という。
また、一般用乗場操作盤２１１に備わる呼び釦を「一般用乗場釦２１２」、一般用乗場操作盤２１１に備わるカードリーダを「一般用カードリーダ２１３」、車椅子用乗場操作盤２２１に備わる呼び釦を「車椅子用乗場釦２２２」、車椅子用乗場操作盤２２１に備わるカードリーダを「車椅子用カードリーダ２２３」という。
一般用乗場操作盤２１１は一般用かご３１０が呼ばれるときにエレベーター利用者に操作され、車椅子用乗場操作盤２２１は車椅子用かご３２０が呼ばれるときにエレベーター利用者に操作される。
【００１０】
また、車椅子用乗場操作盤２２１には乗場ブザー２４４が取り付けられ、車椅子用乗場操作盤２２１の近くには乗場インフォメーション２４１、乗場アナウンス装置２４２および乗場インターホン親機２４３が設置されている。
乗場インフォメーション２４１は利用者に一般用エレベーター２１０の利用を促すために一般用エレベーター２１０を指し示す標示板を点灯させる装置であり、乗場アナウンス装置２４２はスピーカーから所定のメッセージを音声出力する装置である。乗場インターホン親機２４３は、スピーカーとマイクとハンドセットとを備え、インターホンが設置されているエレベーター機械室４００や監視室５００やエレベーターかご３００内にいる係員（管理人、監視員、保守員）との通話に用いられる装置である。乗場ブザー２４４はブザー音を出力して利用者にエレベーターが利用できないことを通知する装置である。
【００１１】
一般用かご３１０内には、一般利用者向けの操作盤とかご内インフォメーション３３２とが設置されている。
以下、一般用かご３１０内の一般利用者向けの操作盤を「一般用かご操作盤３１１」という。
一般用かご操作盤３１１は、利用者が目的階を指定するために押下する行先釦の他に、かご内インターホン子機３３１とかご内アナウンス装置３３３とを備える。
かご内インターホン子機３３１は、スピーカーとマイクとハンドセットとを備え、エレベーター乗場２００にいる利用者との通話に用いられる装置である。かご内アナウンス装置３３３はスピーカーから所定のメッセージを音声出力する装置である。
かご内インフォメーション３３２は所定のメッセージや画像をディスプレイに表示する表示装置である。
【００１２】
車椅子用かご３２０内には、一般用かご操作盤３１１と車椅子利用者向けの操作盤とが設置されている。車椅子用かご３２０内の車椅子利用者向けの操作盤（以下、「車椅子用かご操作盤３２１」という）は一般用かご操作盤３１１に比べて低い位置に設置されている。
【００１３】
エレベーター機械室４００には、一般用かご３１０を制御する一般用エレベーター制御盤４２０、車椅子用かご３２０を制御する車椅子用エレベーター制御盤４３０、一般用エレベーター制御盤４２０と車椅子用エレベーター制御盤４３０とを制御するエレベーター群管理盤４１０および機械室インターホン親機４４０が備わる。
エレベーター群管理盤４１０、一般用エレベーター制御盤４２０および車椅子用エレベーター制御盤４３０は、ＣＰＵ１０１および記憶機器（例えば、半導体メモリ、磁気ディスク装置、ＲＡＭ、ＲＯＭ）を備えるコンピュータ装置の一例である。
エレベーター群管理盤４１０、一般用エレベーター制御盤４２０および車椅子用エレベーター制御盤４３０は一つの筐体に備わる一つの装置であってもよいし、別個の装置であってもよい。
機械室インターホン親機４４０は、スピーカーとマイクとハンドセットとを備え、エレベーター乗場２００にいる利用者との通話に用いられる装置である。
【００１４】
監視室５００には、セキュリティインターフェースユニット５１０、監視室インターホン親機５２０および監視室表示灯５３０が備わる。
セキュリティインターフェースユニット５１０は、ＣＰＵ１０１および記憶機器を備えるコンピュータ装置の一例であり、エレベーター乗場２００のカードリーダによりＩＤカードから読み取られた利用者ＩＤを記憶機器に予め記憶されている登録ＩＤと比較して利用者を認証する認証処理を行う。
監視室インターホン親機５２０は、スピーカーとマイクとを備え、エレベーター乗場２００にいる利用者との通話に用いられる装置である。
監視室表示灯５３０は、各階毎に割り付けられたＬＥＤを備え、乗場釦が押下された呼出階に割り付けられたＬＥＤを点灯させ、監視室５００にいる係員に呼出階を通知する装置である。
【００１５】
上記したエレベーター装置１００に備わる各装置は、信号線を介して互いにデータ通信（シリアル伝送）を行う。
【００１６】
エレベーター群管理盤４１０、一般用エレベーター制御盤４２０、車椅子用エレベーター制御盤４３０およびセキュリティインターフェースユニット５１０が備える各構成（以下で説明する「〜部」）は、以下で説明する各々の処理をＣＰＵを用いて実行する。各部の処理はプログラムとして予め記憶機器に記憶され、ＣＰＵは記憶機器に記憶されているプログラムを実行して各部を機能させる。また、記憶機器には各部の入出力データ、各部の処理で用いられる所定値を示すデータ、各部の処理で生成されたデータ（例えば、計算値や判定結果）などが記憶され、記憶機器に記憶された各種データは各部の処理において用いられる。例えば、後述する「運転モード」、「メッセージ」、「画像」、「利用者ＩＤ」、「登録ＩＤ」、「エレベーター呼び（押下情報）」は記憶機器に記憶されるデータの一例である。
【００１７】
図２は、実施の形態１におけるエレベーター群管理盤４１０、一般用エレベーター制御盤４２０、車椅子用エレベーター制御盤４３０およびセキュリティインターフェースユニット５１０の構成図である。
実施の形態１におけるエレベーター群管理盤４１０、一般用エレベーター制御盤４２０、車椅子用エレベーター制御盤４３０およびセキュリティインターフェースユニット５１０の構成について、図２に基づいて以下に説明する。
【００１８】
エレベーター群管理盤４１０（エレベーター運転装置の一例）は、群モード管理部４１１、エレベーター選択部４１２、乗場案内部４１３、走行パターン判定部４１４、インターホン呼出部４１５および群管理盤記憶部４１９を備える。
【００１９】
群モード管理部４１１（運転モード取得部の一例）は、一般用エレベーター制御盤４２０から一般用エレベーター２１０の運転モードを取得すると共に、車椅子用エレベーター制御盤４３０から車椅子用エレベーター２２０の運転モードを取得する。
「運転モード」の詳細については後述する。
【００２０】
エレベーター選択部４１２（運転制御部の一例）は、群モード管理部４１１により取得された車椅子用エレベーター２２０の運転モードが“運転休止中”を示す場合、一般用エレベーター制御盤４２０に一般用エレベーター２１０の運転を通常運転から車椅子運転に切り替えさせる。
以下、通常運転から切り替えられた一般用エレベーター２１０の車椅子運転を「車椅子バックアップ運転」という。
【００２１】
乗場案内部４１３は、車椅子バックアップ運転が行われる場合、車椅子用エレベーター２２０の代わりに一般用エレベーター２１０が車椅子バックアップ運転する旨を乗場インフォメーション２４１および乗場アナウンス装置２４２を用いてエレベーター乗場２００にいる車椅子利用者に案内する。
【００２２】
走行パターン判定部４１４（押下情報判定部の一例）は、押下された乗場釦の情報を乗場操作盤から押下情報として入力し、入力した押下情報が所定の情報を示すか判定する。
例えば、走行パターン判定部４１４は、居住階の車椅子用乗場釦２２２が押下され、押下された車椅子用乗場釦２２２が下方向を示す下釦（ロビー階の方向を示す釦）であり、車椅子用乗場釦２２２の押下された時間がＹ秒未満であることを所定の情報として、押下情報が所定の情報を示すか判定する。
走行パターン判定部４１４は、押下情報が所定の情報を示す場合、利用者に指定されたエレベーターの走行パターンが居住階からロビー階への移動（以下、“居住階→ロビー階”と記す）であると判定し、押下情報が所定の情報を示さない場合、利用者に指定されたエレベーターの走行パターンが居住階から他の居住階への移動（以下、“居住階→居住階”と記す）であると判定する。
【００２３】
インターホン呼出部４１５（係員呼出部の一例）は、エレベーターの走行パターンが“居住階→居住階”である場合、利用者が他の居住階へ自由に移動することを防ぐため、機械室インターホン親機４４０、監視室インターホン親機５２０およびかご内インターホン子機３３１（それぞれ、呼出機の一例）を鳴動させて係員を呼び出し、係員にエレベーター乗場２００にいる利用者と通話させ、他の居住階への移動の可否を係員に判断させる。
また、インターホン呼出部４１５（休止時呼出部の一例）は、群モード管理部４１１により取得された一般用エレベーター２１０と車椅子用エレベーター２２０との両方の運転モードが“運転休止中”を示す場合、機械室インターホン親機４４０、監視室インターホン親機５２０およびかご内インターホン子機３３１を鳴動させて係員を呼び出し、係員にエレベーター乗場２００にいる利用者と通話させる。
【００２４】
群管理盤記憶部４１９は、エレベーター群管理盤４１０で使用される各種のデータを記憶する。
例えば、群モード管理部４１１により一般用エレベーター制御盤４２０から取得された一般用エレベーター２１０の運転モードおよび車椅子用エレベーター制御盤４３０から取得された車椅子用エレベーター２２０の運転モードは群管理盤記憶部４１９に記憶される。
また例えば、乗場案内部４１３が案内に使用する音声メッセージは群管理盤記憶部４１９に予め記憶される。
【００２５】
一般用エレベーター制御盤４２０は、モード管理部Ａ４２１、エレベーター制御部Ａ４２２、かご案内部Ａ４２３、かごインターホン呼出部Ａ４２４および制御盤記憶部Ａ４２９を備える。
【００２６】
モード管理部Ａ４２１は、一般用エレベーター２１０の運転モードを管理し、一般用エレベーター２１０の運転モードを所定のタイミング（例えば、定期的およびモードの変更時）にエレベーター群管理盤４１０に通知する。
【００２７】
エレベーター制御部Ａ４２２は、エレベーター呼び（乗場呼び、行先呼び）に応じて一般用かご３１０を昇降させる。
【００２８】
以下、乗場釦の押下および車椅子用カードリーダ２２３による利用者ＩＤの読み取りにより発生して登録されるエレベーター呼びを「乗場呼び」といい、かご内の行先釦の押下により発生して登録されるエレベーター呼びを「行先呼び」という。
また、ロビー階で発生した乗場呼びを「ロビー階呼び」とし、居住階で発生した乗場呼びを「居住階呼び」とする。
【００２９】
かご案内部Ａ４２３は、一般用かご３１０のかご内インフォメーション３３２に所定のメッセージや画像を表示させ、また、一般用かご３１０のかご内アナウンス装置３３３に所定のメッセージを音声出力させる。
【００３０】
かごインターホン呼出部Ａ４２４は、一般用エレベーター２１０の運転モードが“保守運転”を示す場合、一般用かご３１０のかご内インターホン子機３３１を鳴動させて一般用かご３１０をメンテナンスしている係員を呼び出し、係員にエレベーター乗場２００にいる利用者と通話させる。
【００３１】
制御盤記憶部Ａ４２９は、一般用エレベーター制御盤４２０で使用される各種のデータを記憶する。
例えば、モード管理部Ａ４２１により管理される一般用エレベーター２１０の運転モードは制御盤記憶部Ａ４２９に記憶される。
また例えば、かご案内部Ａ４２３に使用されるメッセージや画像は制御盤記憶部Ａ４２９に予め記憶される。
【００３２】
車椅子用エレベーター制御盤４３０は、一般用エレベーター制御盤４２０と同様に、モード管理部Ｂ４３１、エレベーター制御部Ｂ４３２、かご案内部Ｂ４３３、かごインターホン呼出部Ｂ４３４および制御盤記憶部Ｂ４３９を備える。
【００３３】
モード管理部Ｂ４３１は、車椅子用エレベーター２２０の運転モードを管理し、車椅子用エレベーター２２０の運転モードを所定のタイミングにエレベーター群管理盤４１０に通知する。
【００３４】
エレベーター制御部Ｂ４３２は、エレベーター呼びに応じて車椅子用かご３２０を昇降させる。
【００３５】
かご案内部Ｂ４３３は、車椅子用かご３２０のかご内アナウンス装置３３３に所定のメッセージを音声出力させる。
【００３６】
かごインターホン呼出部Ｂ４３４は、車椅子用エレベーター２２０の運転モードが“保守運転”を示す場合、車椅子用かご３２０のかご内インターホン子機３３１を鳴動させて車椅子用かご３２０をメンテナンスしている係員を呼び出し、係員にエレベーター乗場２００にいる利用者と通話させる。
【００３７】
制御盤記憶部Ｂ４３９は、車椅子用エレベーター制御盤４３０で使用される各種のデータを記憶する。
例えば、モード管理部Ｂ４３１により管理される車椅子用エレベーター２２０の運転モードは制御盤記憶部Ｂ４３９に記憶される。
また例えば、かご案内部Ｂ４３３に使用されるメッセージや画像は制御盤記憶部Ｂ４３９に予め記憶される。
【００３８】
セキュリティインターフェースユニット５１０は、照合部５１１およびユニット記憶部５１９を備える。
照合部５１１は、ロビー階のカードリーダによりＩＤカードから読み取られた利用者ＩＤをユニット記憶部５１９に予め記憶されている居住者の登録ＩＤと比較照合して利用者に対する認証処理を行い、利用者の居住階を行先階として示すエレベーター呼びをエレベーター群管理盤４１０に送信する。
ユニット記憶部５１９は、セキュリティインターフェースユニット５１０で使用される各種のデータを記憶する。
例えば、照合部５１１の認証処理で使用される居住者の登録ＩＤや利用者の居住階を示す居住階データはユニット記憶部５１９に予め記憶される。
【００３９】
ここで、エレベーターの「運転モード」について説明する。
以下、エレベーターの「運転モード」には“平常運転”と“休止運転”とがあるものとする。
また、“平常運転”には“通常運転”、“車椅子運転”、“車椅子バックアップ運転”が含まれるものとする。
“通常運転”とは、一般利用者向けの運転であり、通常行われる一般用エレベーター２１０の運転のことである。
“車椅子運転”とは、車椅子利用者向けの運転であり、通常行われる車椅子用エレベーター２２０の運転のことである。
“車椅子バックアップ運転”とは、車椅子利用者向けの運転であり、車椅子用エレベーター２２０の代わりに一般用エレベーター２１０が行う車椅子運転のことである。
また、“休止運転（運転休止中）”には“火災管制”、“非常運転”、“群管理異常”、“その他故障”、“保守運転”が含まれるものとする。
“火災管制”は地震、火災、停電などが発生していることを示し、“非常運転”は何らかの非常時の運転を示し、“群管理異常”はエレベーター群管理盤４１０による一般用エレベーター２１０と車椅子用エレベーター２２０との統合制御（群管理）に異常が生じていることを示し、“その他故障”はその他の故障がエレベーターに生じていることを示す。
以下、“火災管制”、“非常運転”、“群管理異常”および“その他故障”を総称して「非常運転」という。
“保守運転”とは、係員により手動で行われるメンテナンス用の運転のことである。
【００４０】
次に、「車椅子運転（“車椅子バックアップ運転”を含む）」について説明する。
「車椅子運転」とは、車椅子利用者によるエレベーターの利用を支援する付加機能が加えられた運転のことであり、乗客の利用を補助する所定の動作を含む補助運転の一例である。
例えば、車椅子運転の付加機能として、エレベータードアの開放時間の延長やエレベータードアの戸閉速度の減速が挙げられる。
車椅子運転の付加機能として、エレベーターかご３００内での案内やエレベーターかご３００の昇降速度の減速など、エレベーターかご３００の昇降中に所定の動作が行われてもよい。
【００４１】
図３は、実施の形態１におけるエレベーター運転方法（ロビー階呼び）を示すフローチャートである。
車椅子利用者がロビー階でエレベーター呼びを発生させた場合について、実施の形態１におけるエレベーター装置１００のエレベーター運転方法を図３に基づいて以下に説明する。
【００４２】
＜Ｓ１１０＞
車椅子利用者は、自分の居住階に移動するために、ＩＤカードを車椅子用カードリーダ２２３にかざす。
車椅子用カードリーダ２２３は近づけられたＩＤカードと無線通信を行い、ＩＤカード内のメモリに記録されている利用者ＩＤを読み取る（受信する）。
車椅子用カードリーダ２２３は読み取った利用者ＩＤをセキュリティインターフェースユニット５１０に送信する。
セキュリティインターフェースユニット５１０の照合部５１１は車椅子用カードリーダ２２３から受信した利用者ＩＤをユニット記憶部５１９に記憶されている登録ＩＤと比較照合する。
【００４３】
＜Ｓ１１１＞
セキュリティインターフェースユニット５１０の照合部５１１は、利用者ＩＤと一致する登録ＩＤが有る場合、照合結果を“照合ＯＫ”とし、利用者ＩＤと一致する登録ＩＤが無い場合、照合結果を“照合ＮＧ”とする。
照合結果が“照合ＮＧ”である場合（ＮＯ）、エレベーター装置１００はエレベーターを運転させず、処理を終了する。
【００４４】
＜Ｓ１２０＞
Ｓ１１１において照合結果が“照合ＯＫ”である場合（ＹＥＳ）、エレベーター群管理盤４１０のエレベーター選択部４１２は、一般用エレベーター２１０と車椅子用エレベーター２２０との両方の運転モードが“非常運転”であるか判定する。
両エレベーターの運転モードが“非常運転”である場合（ＹＥＳ）、エレベーター装置１００はエレベーターを運転させることができず、処理を終了する。
【００４５】
＜Ｓ１２１＞
Ｓ１２０において少なくとも一方のエレベーターの運転モードが“非常運転”でない場合（ＮＯ）、エレベーター選択部４１２は、車椅子用エレベーター２２０の運転モードが“休止運転”であるか判定する。
【００４６】
＜Ｓ１３０＞
Ｓ１２１において車椅子用エレベーター２２０の運転モードが“休止運転”でない場合（ＮＯ）、車椅子用エレベーター制御盤４３０のエレベーター制御部Ｂ４３２は、車椅子用かご３２０をロビー階に走行させる（エレベーター呼びの自動登録）。
【００４７】
＜Ｓ１３１＞
そして、エレベーター制御部Ｂ４３２は、車椅子利用者が乗り込んだ車椅子用かご３２０をロビー階から車椅子利用者の居住階まで車椅子運転で走行させる。
【００４８】
＜Ｓ１２２＞
Ｓ１２１において車椅子用エレベーター２２０の運転モードが“休止運転”である場合（ＹＥＳ）、エレベーター選択部４１２は、一般用エレベーター２１０の運転モードが“平常運転”であるか判定する。
一般用エレベーター２１０の運転モードが“平常運転”でない場合（ＮＯ）、エレベーター装置１００はエレベーターを運転させることができず、処理を終了する。但し、一般用エレベーター２１０または車椅子用エレベーター２２０の運転モードが“保守運転”である場合、エレベーター群管理盤４１０のインターホン呼出部４１５がかご内インターホン子機３３１を鳴動させて一般用かご３１０または車椅子用かご３２０内でメンテナンス作業をしている係員を呼び出し、係員がかご内インターホン子機３３１のハンドセットを取ってロビー階にいる車椅子利用者と通話し、エレベーターを手動運転して車椅子利用者を居住階まで運んでもよい。
【００４９】
＜Ｓ１４０＞
Ｓ１２２において一般用エレベーター２１０の運転モードが“平常運転”である場合（ＹＥＳ）、一般用エレベーター制御盤４２０のエレベーター制御部Ａ４２２は、一般用かご３１０をロビー階に走行させる。
【００５０】
＜Ｓ１４１＞
そして、エレベーター制御部Ａ４２２は、車椅子利用者が乗り込んだ一般用かご３１０をロビー階から車椅子利用者の居住階まで車椅子バックアップ運転で走行させる（エレベーター呼びの自動登録）。
【００５１】
＜Ｓ１４２＞
一般用かご３１０が車椅子利用者の居住階に到着したら、エレベーター制御部Ａ４２２は一般用かご３１０の車椅子バックアップ運転を終了し、以後、一般用かご３１０をエレベーター呼びに応じて通常運転で走行させる。
【００５２】
次に、上記エレベーター運転方法（ロビー階呼び）におけるエレベーター群管理盤４１０、一般用エレベーター制御盤４２０、車椅子用エレベーター制御盤４３０およびセキュリティインターフェースユニット５１０それぞれの処理の詳細について説明する。
【００５３】
図４は、実施の形態１におけるセキュリティインターフェースユニット５１０の認証処理（ロビー階呼び）を示すフローチャートである。
実施の形態１のエレベーター運転方法（ロビー階呼び）においてセキュリティインターフェースユニット５１０が実行する処理を「認証処理（ロビー階呼び）」として、図４に基づいて以下に説明する。
【００５４】
＜Ｓ２１０＞
照合部５１１は、車椅子利用者のＩＤカードから読み取られた利用者ＩＤをロビー階の車椅子用カードリーダ２２３から受信する。
【００５５】
＜Ｓ２２０＞
照合部５１１は、受信した利用者ＩＤをユニット記憶部５１９に記憶されている登録ＩＤと比較照合し、利用者ＩＤと一致する登録ＩＤが有る場合、照合結果を“照合ＯＫ”とし、利用者ＩＤと一致する登録ＩＤが無い場合、照合結果を“照合ＮＧ”とする。
照合結果が“照合ＮＧ”である場合（ＮＯ）、認証処理（ロビー階呼び）は終了する。
【００５６】
＜Ｓ２２１＞
照合結果が“照合ＯＫ”である場合（ＹＥＳ）、照合部５１１は、利用者ＩＤと一致する登録ＩＤに対応付けられて記憶されている居住階データをユニット記憶部５１９から取得する。
居住階データは、当該車椅子利用者の居住階を示す。
【００５７】
＜Ｓ２２２＞
そして、照合部５１１は、ロビー階を呼出階として示すと共に車椅子利用者の居住階を行先階として示すエレベーター呼びをエレベーター群管理盤４１０に送信する。
【００５８】
図５は、実施の形態１におけるエレベーター群管理盤４１０のエレベーター群管理処理（ロビー階呼び）を示すフローチャートである。
実施の形態１のエレベーター運転方法（ロビー階呼び）においてエレベーター群管理盤４１０が実行する処理を「エレベーター群管理処理（ロビー階呼び）」として、図５に基づいて以下に説明する。
【００５９】
＜Ｓ３１０＞
群モード管理部４１１は、一般用エレベーター制御盤４２０および車椅子用エレベーター制御盤４３０から送信される各エレベーターの運転モードを受信し、受信した各エレベーターの運転モードを群管理盤記憶部４１９に記憶する。
【００６０】
＜Ｓ３２０＞
エレベーター選択部４１２は、セキュリティインターフェースユニット５１０の照合部５１１からエレベーター呼びを受信するのを待つ。
エレベーター呼びは、呼出階（ロビー階）と行先階（車椅子利用者の居住階）とを示す。
【００６１】
＜Ｓ３２１＞
エレベーター呼びを受信した場合（ＹＥＳ）、エレベーター選択部４１２は、群管理盤記憶部４１９に記憶されている一般用エレベーター２１０と車椅子用エレベーター２２０との両エレベーターの運転モードが“非常運転”を示すか判定する。
両エレベーターの運転モードが“非常運転”を示す場合（ＹＥＳ）、エレベーター群管理処理（ロビー階呼び）は終了する。
【００６２】
＜Ｓ３２２＞
一般用エレベーター２１０と車椅子用エレベーター２２０との少なくともいずれかの運転モードが“非常運転”を示さない場合（ＮＯ）、乗場案内部４１３はロビー階の一般用乗場釦２１２と車椅子用乗場釦２２２とを点灯させ、エレベーター乗場２００にいる車椅子利用者にエレベーター呼びが受け付けられたことを通知する。
【００６３】
＜Ｓ３２３＞
また、エレベーター選択部４１２は、群管理盤記憶部４１９に記憶されている車椅子用エレベーター２２０の運転モードが“休止運転”を示すか判定する。
【００６４】
＜Ｓ３２４＞
車椅子用エレベーター２２０の運転モードが“休止運転”を示さない場合（ＮＯ）、つまり、車椅子用エレベーター２２０の運転モードが“平常運転”を示す場合、エレベーター選択部４１２はＳ３２０において受信したエレベーター呼びを車椅子用エレベーター制御盤４３０に送信する。
【００６５】
＜Ｓ３２５＞
車椅子用エレベーター２２０の運転モードが“休止運転”を示す場合（ＹＥＳ）、エレベーター選択部４１２は、一般用エレベーター２１０の運転モードが“平常運転”を示すか判定する。
【００６６】
＜Ｓ３２６＞
一般用エレベーター２１０の運転モードが“平常運転”を示さない場合（ＮＯ）、つまり、一般用エレベーター２１０の運転モードが“休止運転”を示す場合、乗場案内部４１３は乗場ブザー２４４を鳴動させ、ロビー階にいる車椅子利用者にエレベーターが運転休止中のため利用できないことを通知する。
但し、一般用エレベーター２１０または車椅子用エレベーター２２０の運転モードが“保守運転”を示す場合、インターホン呼出部４１５がかご内インターホン子機３３１を鳴動させて一般用かご３１０または車椅子用かご３２０内でメンテナンス作業をしている係員を呼び出し、係員がかご内インターホン子機３３１のハンドセットを取ってロビー階にいる車椅子利用者と通話し、エレベーターを手動運転して車椅子利用者を居住階まで運んでもよい。
【００６７】
＜Ｓ３３０＞
一般用エレベーター２１０の運転モードが“平常運転”を示す場合（ＹＥＳ）、エレベーター選択部４１２は、一般用エレベーター２１０を車椅子バックアップ運転させる。
以下に、車椅子バックアップ運転処理（Ｓ３３０）の詳細について説明する。
【００６８】
図６は、実施の形態１における車椅子バックアップ運転処理（Ｓ３３０）を示すフローチャートである。
実施の形態１における車椅子バックアップ運転処理（Ｓ３３０）について、図６に基づいて以下に説明する。
【００６９】
＜Ｓ３３１＞
エレベーター選択部４１２は、Ｓ３２０において受信したエレベーター呼びと共に車椅子バックアップ運転を指示するバックアップ運転命令を一般用エレベーター制御盤４２０に送信する。
【００７０】
＜Ｓ３３２＞
エレベーター選択部４１２は、群管理盤記憶部４１９に記憶されている一般用エレベーター２１０の運転モードを“通常運転”から“バックアップ運転”に変更する。
【００７１】
＜Ｓ３３３＞
乗場案内部４１３は、ロビー階の車椅子利用者に車椅子バックアップ運転が行われることを案内する。
例えば、乗場案内部４１３は、車椅子バックアップ運転の案内として、ロビー階の乗場インフォメーション２４１を点灯させる。
また例えば、乗場案内部４１３は、群管理盤記憶部４１９に予め記憶されている車椅子バックアップ運転の案内用メッセージを乗場アナウンス装置２４２に送信し、乗場アナウンス装置２４２に車椅子バックアップ運転の案内用メッセージを音声出力させる。
車椅子バックアップ運転の案内用メッセージとは、例えば次のようなメッセージである。「２号機は只今、運転休止しております。お隣の１号機が参りますので１号機の前でお待ち下さい。」
【００７２】
＜Ｓ３３４＞
エレベーター選択部４１２は、エレベーター群管理盤４１０から送信される乗車終了通知の受信を待つ。
乗車終了通知とは、ロビー階に到着した一般用かご３１０に車椅子利用者が乗り込んだことを示す通知である。
【００７３】
＜Ｓ３３５＞
エレベーター選択部４１２により乗車終了通知が受信された場合（ＹＥＳ）、乗場案内部４１３は、ロビー階での車椅子バックアップ運転の案内を終了させる。
【００７４】
＜Ｓ３３６＞
エレベーター選択部４１２は、エレベーター群管理盤４１０から送信される運転終了通知の受信を待つ。
運転終了通知とは、一般用かご３１０が車椅子利用者の居住階に到着したことを示す通知である。
【００７５】
＜Ｓ３３７＞
運転終了通知を受信した場合、エレベーター選択部４１２は、群管理盤記憶部４１９に記憶されている一般用エレベーター２１０の運転モードを“車椅子バックアップ運転”から“通常運転”に変更する。
【００７６】
図７は、実施の形態１における車椅子用エレベーター制御盤４３０の車椅子用エレベーター制御処理（ロビー階呼び）を示すフローチャートである。
実施の形態１におけるエレベーター運転方法（ロビー階呼び）において車椅子用エレベーター制御盤４３０が実行する処理を「車椅子用エレベーター制御処理（ロビー階呼び）」として、図７に基づいて以下に説明する。
【００７７】
＜Ｓ４１０＞
モード管理部Ｂ４３１は、車椅子用エレベーター２２０の運転モードをエレベーター群管理盤４１０に送信する。
車椅子用エレベーター２２０の運転モードは、制御盤記憶部Ｂ４３９に記憶され、エレベーターに設置された各種センサの計測値に基づいて異常が検出された時や係員による手動運転への切り替え時などに更新される。
【００７８】
＜Ｓ４２０＞
エレベーター制御部Ｂ４３２は、エレベーター群管理盤４１０からエレベーター呼びを受信するのを待つ。
エレベーター呼びは、呼出階（ロビー階）と行先階（車椅子利用者の居住階）とを示す。
【００７９】
＜Ｓ４２１＞
エレベーター呼びを受信した場合（ＹＥＳ）、エレベーター制御部Ｂ４３２は、車椅子用かご３２０をロビー階（呼出階）へ走行させる。
【００８０】
＜Ｓ４２２＞
エレベーター制御部Ｂ４３２は、車椅子用かご３２０がロビー階に到着するのを待つ。
【００８１】
＜Ｓ４２３＞
車椅子用かご３２０がロビー階に到着した場合（ＹＥＳ）、エレベーター制御部Ｂ４３２は、車椅子用かご３２０を車椅子利用者の居住階（行先階）まで車椅子運転で走行させる。
【００８２】
図８は、実施の形態１における一般用エレベーター制御盤４２０の一般用エレベーター制御処理（ロビー階呼び）を示すフローチャートである。
実施の形態１におけるエレベーター運転方法（ロビー階呼び）において一般用エレベーター制御盤４２０が実行する処理を「一般用エレベーター制御処理（ロビー階呼び）」として、図８に基づいて以下に説明する。
【００８３】
＜Ｓ５１０＞
モード管理部Ａ４２１は、一般用エレベーター２１０の運転モードをエレベーター群管理盤４１０に送信する。
一般用エレベーター２１０の運転モードは、制御盤記憶部Ａ４２９に記憶され、エレベーターに設置された各種センサの計測値に基づいて異常が検出された時や係員による手動運転への切り替え時などに更新される。
【００８４】
＜Ｓ５２０＞
エレベーター制御部Ａ４２２は、エレベーター群管理盤４１０からエレベーター呼び（および、バックアップ運転命令）を受信するのを待つ。
エレベーター呼びは、呼出階（ロビー階）と行先階（車椅子利用者の居住階）とを示す。
【００８５】
＜Ｓ５２１＞
エレベーター呼び（および、バックアップ運転命令）を受信した場合（ＹＥＳ）、エレベーター制御部Ａ４２２は、一般用かご３１０をロビー階（呼出階）へ走行させる。
【００８６】
＜Ｓ５２２＞
エレベーター制御部Ａ４２２は、一般用かご３１０がロビー階に到着するのを待つ。
【００８７】
＜Ｓ５２３＞
一般用かご３１０がロビー階に到着した場合（ＹＥＳ）、エレベーター制御部Ａ４２２は、一般用かご３１０への車椅子利用者の乗車を検出し、乗車終了通知をエレベーター群管理盤４１０に送信する。
例えば、エレベーター制御部Ａ４２２は、一般用かご３１０に設置されたかご負荷検出装置（重量センサ）の測定値が所定値以上になった場合を車椅子利用者の乗車として検出する。
また例えば、エレベーター制御部Ａ４２２は、一般用かご３１０内に設置されたカメラにより撮像された画像を画像処理して、車椅子利用者の乗車を検出する。
【００８８】
＜Ｓ５２４＞
また、エレベーター制御部Ａ４２２は、一般用かご３１０を車椅子利用者の居住階（行先階）まで車椅子バックアップ運転で走行させる。
【００８９】
＜Ｓ５２５＞
そして、かご案内部Ａ４２３は、一般用かご３１０内で車椅子バックアップ運転が行われていることを車椅子利用者に案内する。
例えば、かご案内部Ａ４２３は、制御盤記憶部Ａ４２９に予め記憶されている車椅子バックアップ運転の案内用メッセージを一般用かご３１０のかご内アナウンス装置３３３に送信し、一般用かご３１０のかご内アナウンス装置３３３に車椅子バックアップ運転の案内用メッセージを音声出力させる。
また例えば、かご案内部Ａ４２３は、制御盤記憶部Ａ４２９に予め記憶されている車椅子バックアップ運転の案内用メッセージ（または画像）を一般用かご３１０のかご内インフォメーション３３２に送信し、一般用かご３１０のかご内インフォメーション３３２に車椅子バックアップ運転の案内用メッセージ（または画像）をディスプレイに表示させる。
【００９０】
＜Ｓ５２６＞
エレベーター制御部Ａ４２２は、一般用かご３１０が車椅子利用者の居住階に到着するのを待つ。
【００９１】
＜Ｓ５２７＞
一般用かご３１０が車椅子利用者の居住階に到着した場合（ＹＥＳ）、かご案内部Ａ４２３は一般用かご３１０内での車椅子バックアップ運転の案内を終了する。
【００９２】
＜Ｓ５２８＞
そして、エレベーター制御部Ａ４２２は車椅子バックアップ運転の終了をエレベーター群管理盤４１０に通知する。
【００９３】
上記では、セキュリティ機器としてエレベーター乗場の操作盤にカードリーダを備える形態について説明した。但し、セキュリティ機器としてカードリーダの代わりに、または、共に、キーリーダを備えてもよい。キーリーダとは、利用者ＩＤが記録された無線ＩＣチップを備える居室の鍵から利用者ＩＤを読み取る装置である。
【００９４】
上記では、ロビー階でエレベーター呼びが発生した場合について説明した。
次に、居住階でエレベーター呼びが発生した場合について説明する。
【００９５】
図９は、実施の形態１におけるエレベーター運転方法（居住階呼び）を示すフローチャートである。
車椅子利用者が居住階でエレベーター呼びを発生させた場合について、実施の形態１におけるエレベーター装置１００のエレベーター運転方法を図９に基づいて以下に説明する。
【００９６】
＜Ｓ６１０＞
車椅子利用者は、自分の居住階から他の階（例えば、ロビー階）に移動するために、居住階の車椅子用乗場釦２２２を押下する。
車椅子用乗場釦２２２が押下された場合、車椅子用乗場操作盤２２１はエレベーター呼びをエレベーター群管理盤４１０に送信する。エレベーター呼びは、車椅子用乗場釦２２２が押下された居住階（呼出階）、押下された車椅子用乗場釦２２２が示す方向（上方向、下方向）、長押しされたか短押しされたかを示す押下時間など、押下された乗場釦の情報（以下、「押下情報」という）を示す。押下時間および後述する再押下までの時間はタイマーによりカウントされる。
エレベーター群管理盤４１０のエレベーター選択部４１２は、車椅子用乗場操作盤２２１からエレベーター呼びを受信した場合、一般用エレベーター２１０と車椅子用エレベーター２２０との両方の運転モードが“非常運転”であるか判定する。
両エレベーターの運転モードが“非常運転”である場合（ＹＥＳ）、エレベーター装置１００はエレベーターを運転させることができず、処理を終了する。
【００９７】
＜Ｓ６１１＞
Ｓ６１０において少なくとも一方のエレベーターの運転モードが“非常運転”でない場合（ＮＯ）、エレベーター選択部４１２は、車椅子用エレベーター２２０の運転モードが“休止運転”であるか判定する。
【００９８】
＜Ｓ６２０＞
Ｓ６１１において車椅子用エレベーター２２０の運転モードが“休止運転”でない場合（ＮＯ）、車椅子用エレベーター制御盤４３０のエレベーター制御部Ｂ４３２は、車椅子用かご３２０を居住階に走行させる（エレベーター呼びの自動登録）。
【００９９】
＜Ｓ６２１＞
そして、エレベーター制御部Ｂ４３２は車椅子利用者が乗り込んだ車椅子用かご３２０をロビー階（または、車椅子用かご操作盤３２１で指定された指定階）まで車椅子運転で走行させる。
【０１００】
＜Ｓ６１２＞
Ｓ６１１において車椅子用エレベーター２２０の運転モードが“休止運転”である場合（ＹＥＳ）、エレベーター選択部４１２は、一般用エレベーター２１０の運転モードが“平常運転”であるか判定する。
一般用エレベーター２１０の運転モードが“平常運転”でない場合（ＮＯ）、エレベーター装置１００はエレベーターを運転させることができず、処理を終了する。但し、一般用エレベーター２１０または車椅子用エレベーター２２０の運転モードが“保守運転”である場合、エレベーター群管理盤４１０のインターホン呼出部４１５がかご内インターホン子機３３１を鳴動させて一般用かご３１０または車椅子用かご３２０内でメンテナンス作業をしている係員を呼び出し、係員がかご内インターホン子機３３１のハンドセットを取って居住階にいる車椅子利用者と通話し、エレベーターを手動運転して車椅子利用者をロビー階（または、指定階）まで運んでもよい。
【０１０１】
＜Ｓ６３０＞
Ｓ６１２において一般用エレベーター２１０の運転モードが“平常運転”である場合（ＹＥＳ）、エレベーター群管理盤４１０の乗場案内部４１３は、乗場アナウンス装置２４２から所定のメッセージを音声出力してエレベーター乗場２００にいる車椅子利用者にＸ秒以内に車椅子用乗場釦２２２を再押下することを促す。
車椅子用乗場釦２２２が再押下された場合、車椅子用乗場操作盤２２１はエレベーター呼びを新たにエレベーター群管理盤４１０に送信する。
エレベーター群管理盤４１０のエレベーター選択部４１２は、Ｘ秒以内にエレベーター呼びを再受信するか、つまり、車椅子用乗場釦２２２がＸ秒以内に再押下されたか判定する。
車椅子用乗場釦２２２がＸ秒以内に再押下されなかった場合（ＮＯ）、エレベーター装置１００はエレベーターを運転させず、処理を終了する。
【０１０２】
＜Ｓ６３１＞
Ｓ６３０において車椅子用乗場釦２２２がＸ秒以内に再押下された場合（ＹＥＳ）、エレベーター選択部４１２は、エレベーター呼びが示す押下情報に基づいて、再押下された車椅子用乗場釦２２２が下方向を示す下釦か判定する。
【０１０３】
＜Ｓ６３２＞
Ｓ６３１において下釦が再押下された場合（ＹＥＳ）、エレベーター選択部４１２は、エレベーター呼びが示す押下情報に基づいて、下釦の再押下がＹ秒以上の長押しであったか判定する。
【０１０４】
＜Ｓ６４０＞
Ｓ６３２において下釦の再押下がＹ秒以上の長押しでなかった場合（ＮＯ）、つまり、車椅子用乗場釦２２２の再押下が下釦のＹ秒未満の短押しであった場合、一般用エレベーター制御盤４２０のエレベーター制御部Ａ４２２は一般用かご３１０を車椅子利用者がいる居住階（呼出階）に走行させる。
下釦のＹ秒未満の短押しは、車椅子利用者にロビー階への移動を指示されたことを意味する。
【０１０５】
＜Ｓ６４１＞
そして、エレベーター制御部Ａ４２２は車椅子利用者が乗り込んだ一般用かご３１０を居住階からロビー階まで車椅子バックアップ運転で走行させる（エレベーター呼びの自動登録）。
【０１０６】
＜Ｓ６４２＞
エレベーター制御部Ａ４２２は一般用かご３１０の車椅子バックアップ運転を終了し、以後、一般用かご３１０をエレベーター呼びに応じて通常運転で走行させる。
【０１０７】
＜Ｓ６５０＞
Ｓ６３１において上釦が再押下された場合（ＮＯ）およびＳ６３２において下釦の再押下がＹ秒以上の長押しであった場合（ＮＯ）、エレベーター群管理盤４１０のインターホン呼出部４１５は機械室インターホン親機４４０、監視室インターホン親機５２０およびかご内インターホン子機３３１を鳴動させて係員を呼び出す。
上釦の押下または下釦のＹ秒以上の長押しは、車椅子利用者に他の居住階への移動を指示されたことを意味する。
呼び出された係員は、インターホンのハンドセットを取って居住階にいる車椅子利用者と通話し、エレベーターを手動運転して車椅子利用者を指定された居住階まで運ぶ。
【０１０８】
次に、上記エレベーター運転方法（居住階呼び）におけるエレベーター群管理盤４１０、一般用エレベーター制御盤４２０および車椅子用エレベーター制御盤４３０それぞれの処理の詳細について説明する。
【０１０９】
図１０は、実施の形態１におけるエレベーター群管理盤４１０のエレベーター群管理処理（居住階呼び）を示すフローチャートである。
実施の形態１のエレベーター運転方法（居住階呼び）においてエレベーター群管理盤４１０が実行する処理を「エレベーター群管理処理（居住階呼び）」として、図１０に基づいて以下に説明する。
【０１１０】
以下において、「Ｓｘｘｘ」の形式で記すステップ番号が前述したエレベーター群管理処理（ロビー階呼び）と同じである処理は、前述の説明と同様の処理である。
【０１１１】
＜Ｓ３１０〜Ｓ３２１＞
群モード管理部４１１は各エレベーターの運転モードを取得し（Ｓ３１０）、エレベーター選択部４１２は車椅子用乗場操作盤２２１からエレベーター呼びを待ち（Ｓ３２０）、両エレベーターの運転モードが“非常運転”を示すか判定する（Ｓ３２１）。
両エレベーターの運転モードが“非常運転”を示す場合（ＹＥＳ）、エレベーター群管理処理（居住階呼び）は終了する。
【０１１２】
＜Ｓ３２３〜Ｓ３２４＞
両エレベーターの運転モードが“非常運転”を示さない場合（ＮＯ）、エレベーター選択部４１２は車椅子用エレベーター２２０の運転モードが“休止運転”を示すか判定し（Ｓ３２３）、車椅子用エレベーター２２０の運転モードが“休止運転”を示さない場合（ＮＯ）、エレベーター呼びを車椅子用エレベーター制御盤４３０に送信する（Ｓ３２４）。
【０１１３】
＜Ｓ３２５〜Ｓ３２６＞
車椅子用エレベーター２２０の運転モードが“休止運転”を示す場合（ＹＥＳ）、エレベーター選択部４１２は一般用エレベーター２１０の運転モードが“平常運転”を示すか判定し（Ｓ３２５）、一般用エレベーター２１０の運転モードが“平常運転”を示さない場合（ＮＯ）、乗場案内部４１３は乗場ブザー２４４を鳴動させる（Ｓ３２６）。
【０１１４】
＜Ｓ３６０＞
一般用エレベーター２１０の運転モードが“平常運転”を示す場合（ＹＥＳ）、走行パターン判定部４１４は、エレベーター呼びが示す押下情報に基づいてエレベーターの走行パターンを判定する。
走行パターンの判定の詳細については後述する。
【０１１５】
＜Ｓ３７０＞
走行パターン判定部４１４は、走行パターンに基づいて処理を分岐させる。
走行パターンが判定されなかった場合、エレベーター群管理処理（乗場階呼び）は終了する。
【０１１６】
＜Ｓ３７１＞
走行パターンが“居住階→ロビー階”である場合、エレベーター選択部４１２は一般用エレベーター２１０の運転モードが“平常運転”のまま変化していないか再判定する。
【０１１７】
＜Ｓ３３０＞
一般用エレベーター２１０の運転モードが“平常運転”を示す場合（ＹＥＳ）、エレベーター選択部４１２は、一般用エレベーター２１０を車椅子バックアップ運転させる。
【０１１８】
＜Ｓ３７２＞
一般用エレベーター２１０の運転モードが“平常運転”を示さない場合（ＮＯ）、乗場案内部４１３は、Ｓ３２６と同様に、乗場ブザー２４４を鳴動させる。
【０１１９】
＜Ｓ３８０＞
Ｓ３７０において走行パターンが“居住階→居住階”である場合、乗場案内部４１３は、居住階にいる車椅子利用者に係員へ連絡中であることを通知する。
例えば、乗場案内部４１３は、群管理盤記憶部４１９に予め記憶されている係員への連絡中を知らせる通知メッセージを乗場アナウンス装置２４２に送信し、乗場アナウンス装置２４２に通知メッセージを音声出力させる。
通知メッセージとは、例えば次のようなメッセージである。「係員にインターホンをおつなぎしますのでしばらくお待ち下さい。」
【０１２０】
＜Ｓ３８１＞
そして、インターホン呼出部４１５は、機械室インターホン親機４４０および監視室インターホン親機５２０を鳴動させて係員を呼び出す。
【０１２１】
＜Ｓ３８２＞
さらに、インターホン呼出部４１５は、車椅子用エレベーター制御盤４３０にかご内インターホン子機３３１の呼び出しを要求するインターホン子機呼出命令を送信する。
【０１２２】
＜Ｓ３８３＞
また、インターホン呼出部４１５は車椅子利用者がいる居住階に割り付けられた監視室表示灯５３０のＬＥＤを点灯させる。
【０１２３】
図１１は、実施の形態１における走行パターン判定処理（Ｓ３６０）を示すフローチャートである。
上記の走行パターン判定処理（Ｓ３６０）の詳細について、図１１に基づいて以下に説明する。
【０１２４】
＜Ｓ３６１＞
乗場案内部４１３は、車椅子用乗場釦２２２と一般用乗場釦２１２とをフリッカさせる。
【０１２５】
＜Ｓ３６２＞
また、乗場案内部４１３は、居住階の車椅子利用者にエレベーター呼びの再登録について説明し、車椅子用乗場釦２２２の再押下を要求する。
例えば、乗場案内部４１３は、群管理盤記憶部４１９に予め記憶されているエレベーター呼び再登録の説明メッセージを乗場アナウンス装置２４２に送信し、乗場アナウンス装置２４２にエレベーター呼び再登録の説明メッセージを音声出力させる。
エレベーター呼び再登録の説明メッセージとは、例えば次のようなメッセージである。「２号機は只今、運転休止しております。ロビー階に行かれる場合はＸ秒以内に乗場Ｄｏｗｎ釦を再登録願います。再登録後にお隣の１号機が参ります。ロビー階以外に行かれる場合は係員をお呼びしますので上方向、下方向の何れかの乗場釦を約Ｙ秒間程度長押し願います。登録をキャンセルしたい場合は乗場釦の再登録は不要です。」
【０１２６】
＜Ｓ３６３＞
エレベーター選択部４１２は、車椅子用乗場操作盤２２１からエレベーター呼びの再登録の説明後からＸ秒以内にエレベーター呼びを再受信するか、つまり、エレベーター呼びの再登録の説明後からＸ秒以内に車椅子用乗場釦２２２が再押下されたか判定する。
【０１２７】
＜Ｓ３６４＞
Ｘ秒以内にエレベーター呼びを再受信した場合（ＹＥＳ）、エレベーター選択部４１２はエレベーター呼びが示す押下情報を参照し、Ｙ秒未満の間、下釦（Ｄｏｗｎ釦）が押下されたか判定する。
【０１２８】
＜Ｓ３６５＞
Ｙ秒未満、下釦が押下された場合（ＹＥＳ）、走行パターン判定部４１４は「走行パターン」に“居住階→ロビー階”を設定する。
【０１２９】
＜Ｓ３６６＞
また、乗場案内部４１３は、エレベーター呼びの再登録が受け付けられ車椅子バックアップ運転が行われることを居住階にいる車椅子利用者に案内する。
例えば、乗場案内部４１３は、車椅子用乗場釦２２２と一般用乗場釦２１２とを点灯する。
また例えば、乗場案内部４１３は、群管理盤記憶部４１９に予め記憶されている車椅子バックアップ運転の案内用メッセージを乗場アナウンス装置２４２に送信し、乗場アナウンス装置２４２に車椅子バックアップ運転の案内用メッセージを音声出力させる。
車椅子バックアップ運転の案内用メッセージとは、例えば次のメッセージである。「ロビー階への運転を受け付けました。お隣の１号機が参りますので１号機の前でお待ち下さい。」
【０１３０】
＜Ｓ３６７＞
Ｙ秒未満、下釦が押下されなかった場合（ＮＯ）、走行パターン判定部４１４は「走行パターン」に“居住階→居住階”を設定する。
【０１３１】
＜Ｓ３６８＞
また、乗場案内部４１３は、車椅子用乗場釦２２２と一般用乗場釦２１２とを消灯し、居住階にいる車椅子利用者にエレベーター呼びの再登録が受け付けられなかったことを通知する。
【０１３２】
図１２は、実施の形態１における車椅子用エレベーター制御盤４３０の車椅子用エレベーター制御処理（居住階呼び）を示すフローチャートである。
実施の形態１におけるエレベーター運転方法（居住階呼び）において車椅子用エレベーター制御盤４３０が実行する処理を「車椅子用エレベーター制御処理（居住階呼び）」として、図１２に基づいて以下に説明する。
【０１３３】
以下において、「Ｓｘｘｘ」の形式で記すステップ番号が前述した車椅子用エレベーター制御処理（居住階呼び）と同じである処理は、前述の説明と同様の処理である。
【０１３４】
＜Ｓ４１０＞
モード管理部Ｂ４３１は、車椅子用エレベーター２２０の運転モードをエレベーター群管理盤４１０に送信する。
【０１３５】
＜Ｓ４２０〜Ｓ４２３’＞
エレベーター制御部Ｂ４３２はエレベーター群管理盤４１０からエレベーター呼びを待ち（Ｓ４２０）、車椅子用かご３２０を車椅子利用者がいる居住階に走行させ（Ｓ４２１’）、車椅子用かご３２０が居住階に到着するのを待ち（Ｓ４２２’）、車椅子用かご３２０を車椅子運転でロビー階（または、指定階）に走行させる（Ｓ４２３’）。
【０１３６】
＜Ｓ４３０＞
かごインターホン呼出部Ｂ４３４は、エレベーター呼びの代わりにインターホン子機呼出命令をエレベーター群管理盤４１０から受信したか判定する。
インターホン子機呼出命令を受信していない場合、処理はＳ４２０に戻り、車椅子用エレベーター制御盤４３０はエレベーター呼びまたはインターホン子機呼出命令の受信を待つ。
【０１３７】
＜Ｓ４３１＞
かごインターホン呼出部Ｂ４３４は、制御盤記憶部Ｂ４３９に記憶されている車椅子用エレベーター２２０の運転モードが“保守運転”を示すか判定する。
車椅子用エレベーター２２０の運転モードが“保守運転”を示さない場合（ＮＯ）、車椅子用エレベーター制御処理（居住階呼び）は終了する。
【０１３８】
＜Ｓ４３２＞
車椅子用エレベーター２２０の運転モードが“保守運転”を示す場合（ＹＥＳ）、かごインターホン呼出部Ｂ４３４は、かご内インターホン子機３３１を鳴動させ、車椅子用かご３２０内でメンテナンスしている係員を呼び出し、ハンドセットを取った係員に居住階にいる車椅子利用者と通話させ、エレベーターを手動運転させて車椅子利用者を居住階からロビー階（または、指定階）へ運ばせる。
【０１３９】
実施の形態１におけるエレベーター運転方法（居住階呼び）において一般用エレベーター制御盤４２０が実行する処理「一般用エレベーター制御処理（居住階呼び）」は、前述した一般用エレベーター制御処理（ロビー階呼び）（図８参照）と同様である。
但し、一般用かご３１０の走行方向は、「ロビー階→居住階」ではなく、「居住階→ロビー階」である。
つまり、Ｓ５２１において、エレベーター制御部Ａ４２２は、一般用かご３１０をロビー階ではなく車椅子利用者がいる居住階（呼出階）へ走行させる。
また、Ｓ５２２において、エレベーター制御部Ａ４２２は、一般用かご３１０が居住階に到着するのを待つ。
また、Ｓ５２４において、エレベーター制御部Ａ４２２は、一般用かご３１０を居住階ではなくロビー階（行先階）まで車椅子運転で走行させる。
また、Ｓ５２６において、エレベーター制御部Ａ４２２は、一般用かご３１０がロビー階に到着するのを待つ。
【０１４０】
実施の形態１では、以下のようなエレベーターの運転装置（例えば、エレベーター群管理盤４１０）について説明した。
２台以上のエレベーターを有すると共に特定号機のみに車椅子仕様が付加されるマルチカーエレベーターにおいて、エレベーターの運転装置は、車椅子仕様号機が故障やメンテナンスにより休止運転に移行した場合でも車椅子利用者が継続して隣接のエレベーター（一般用エレベーター２１０）を利用できるように車椅子バックアップ運転切替手段（エレベーター選択部４１２）、車椅子バックアップ運転付加機能（エレベーター制御部Ａ４２２）を備える。
また、エレベーターの運転装置は、走行パターン選択手段（走行パターン判定部４１４）により隣接のエレベーターが利用できないと判定された場合、係員を呼び出すインターホン自動呼出手段（インターホン呼出部４１５）を備える。
【０１４１】
エレベーターの運転装置は、車椅子バックアップ運転切替手段、車椅子バックアップ運転付加機能により、車椅子仕様号機が故障やメンテナンスにより休止運転に移行した場合でも車椅子利用者にスムーズに隣接のエレベーターを利用させることができる。
また、エレベーターの運転装置は、隣接のエレベーターも利用できない最悪のケースでは、インターホン自動呼出手段により係員をインターホンに呼び出すことができる。
【図面の簡単な説明】
【０１４２】
【図１】実施の形態１におけるエレベーター装置１００の構成図。
【図２】実施の形態１におけるエレベーター群管理盤４１０、一般用エレベーター制御盤４２０、車椅子用エレベーター制御盤４３０およびセキュリティインターフェースユニット５１０の構成図。
【図３】実施の形態１におけるエレベーター運転方法（ロビー階呼び）を示すフローチャート。
【図４】実施の形態１におけるセキュリティインターフェースユニット５１０の認証処理（ロビー階呼び）を示すフローチャート。
【図５】実施の形態１におけるエレベーター群管理盤４１０のエレベーター群管理処理（ロビー階呼び）を示すフローチャート。
【図６】実施の形態１における車椅子バックアップ運転処理（Ｓ３３０）を示すフローチャート。
【図７】実施の形態１における車椅子用エレベーター制御盤４３０の車椅子用エレベーター制御処理（ロビー階呼び）を示すフローチャート。
【図８】実施の形態１における一般用エレベーター制御盤４２０の一般用エレベーター制御処理（ロビー階呼び）を示すフローチャート。
【図９】実施の形態１におけるエレベーター運転方法（居住階呼び）を示すフローチャート。
【図１０】実施の形態１におけるエレベーター群管理盤４１０のエレベーター群管理処理（居住階呼び）を示すフローチャート。
【図１１】実施の形態１における走行パターン判定処理（Ｓ３６０）を示すフローチャート。
【図１２】実施の形態１における車椅子用エレベーター制御盤４３０の車椅子用エレベーター制御処理（居住階呼び）を示すフローチャート。
【符号の説明】
【０１４３】
１００  エレベーター装置、１０１  ＣＰＵ、２００  エレベーター乗場、２１０  一般用エレベーター、２１１  一般用乗場操作盤、２１２  一般用乗場釦、２１３  一般用カードリーダ、２２０  車椅子用エレベーター、２２１  車椅子用乗場操作盤、２２２  車椅子用乗場釦、２２３  車椅子用カードリーダ、２４１  乗場インフォメーション、２４２  乗場アナウンス装置、２４３  乗場インターホン親機、２４４  乗場ブザー、３００  エレベーターかご、３１０  一般用かご、３１１  一般用かご操作盤、３２０  車椅子用かご、３２１  車椅子用かご操作盤、３３１  かご内インターホン子機、３３２  かご内インフォメーション、３３３  かご内アナウンス装置、４００  エレベーター機械室、４１０  エレベーター群管理盤、４１１  群モード管理部、４１２  エレベーター選択部、４１３  乗場案内部、４１４  走行パターン判定部、４１５  インターホン呼出部、４１９  群管理盤記憶部、４２０  一般用エレベーター制御盤、４２１  モード管理部Ａ、４２２  エレベーター制御部Ａ、４２３  かご案内部Ａ、４２４  かごインターホン呼出部Ａ、４２９  制御盤記憶部Ａ、４３０  車椅子用エレベーター制御盤、４３１  モード管理部Ｂ、４３２  エレベーター制御部Ｂ、４３３  かご案内部Ｂ、４３４  かごインターホン呼出部Ｂ、４３９  制御盤記憶部Ｂ、４４０  機械室インターホン親機、５００  監視室、５１０  セキュリティインターフェースユニット、５１１  照合部、５１９  ユニット記憶部、５２０  監視室インターホン親機、５３０  監視室表示灯。
【図１】
2010023934.tif 000003
【図２】
2010023934.tif 000004
【図３】
2010023934.tif 000005
【図４】
2010023934.tif 000006
【図５】
2010023934.tif 000007
【図６】
2010023934.tif 000008
【図７】
2010023934.tif 000009
【図８】
2010023934.tif 000010
【図９】
2010023934.tif 000011
【図１０】
2010023934.tif 000012
【図１１】
2010023934.tif 000013
【図１２】
2010023934.tif 000014